(57)【要約】【課題】読取光源等の可動部材を備えた静電潜像読取装置において、静電潜像に応じた信号を出力する際に、読み出し動作のスループットを低下させることなく、信号のＳ／Ｎを向上させる。【解決手段】読取光源１により静電記録体１０を露光走査することにより、静電記録体１０に記録された静電潜像に応じた信号がＦＰＣ２４を介して読み出される。筐体２０はアース２５により接地されている。また光源１はワイヤー２３により、静電記録体１０はワイヤー２２により、筐体２０に電気的に接続されている。このため、読取光源１と静電記録体１０とは接地され、読取光源１が静電記録体１０に容量結合することはなく、読取光源１が動いた時に、静電記録体１０の容量変動を招くことがない。また、読取光源１が静電記録体１０に容量結合していないため、読取光源１の移動速度を任意に設定することが可能となる。【選択図】          図２
2005003511.tif 000002
【特許請求の範囲】
【請求項１】
読取光を発する読取光源と、
画像情報を静電潜像として記録し、前記読取光で走査露光されることにより、前記静電潜像に応じた信号を出力する静電記録体と、
前記読取光による走査露光の際に移動可能であって、かつ前記静電記録体と容量結合する可動部材とを備えた静電潜像読取装置において、
前記可動部材と前記静電記録体との間を静電シールドする静電シールド手段を備えていることを特徴とする静電潜像読取装置。
【請求項２】
前記可動部材が前記読取光源であることを特徴とする請求項１記載の静電潜像読取装置。
【請求項３】
前記静電シールド手段が、前記可動部材と前記静電記録体とを同電位とする同電位手段であることを特徴とする請求項１または２記載の静電潜像読取装置。
【請求項４】
前記静電シールド手段が、前記可動部材および前記静電記録体を接地する接地手段であることを特徴とする請求項３記載の静電潜像読取装置。
【請求項５】
前記静電シールド手段が、前記可動部材または前記静電記録体のどちらか一方を内部に収納し、導電性部材で形成され、その一部が定電位源に接続された静電シールドボックスであることを特徴とする請求項１または２記載の静電潜像読取装置。
【発明の詳細な説明】
【０００１】
【発明の属する技術分野】
本発明は、静電情報読取装置に関し、詳細には読取光を発する読取光源と、画像情報を静電潜像として記録し、前記読取光で走査露光されることにより、前記静電潜像に応じた信号を出力する静電記録体とを備えた静電情報読取装置に関するものである。
【０００２】
【従来の技術】
従来より、医療用Ｘ線撮影において、被験者が受ける被爆線量の減少、診断性能の向上等のために、Ｘ線に感応する例えばａ−Ｓｅ（アモルファスセレン）から成るセレン板等の光導電体を静電記録体として用い、この静電記録体に放射線画像情報を担持するＸ線等の放射線（記録光）を照射して、放射線画像情報を担持する潜像電荷を静電記録体に蓄積させ、その後レーザビーム等の読取光で静電記録体を走査することにより静電記録体内に生じる電流を静電記録体両側の平板電極あるいはストライプ電極を介して検出することにより、潜像電荷が担持する静電潜像、すなわち放射線画像情報を読み取るシステムが知られている（例えば特許文献１、特許文献２、特許文献３および非特許文献１参照）。
【０００３】
また、本出願人は、記録用の放射線に対して透過性を有する第１の導電体層、記録用の放射線の照射を受けることにより光導電性を呈する記録用光導電層、第１の導電体層に帯電される電荷と同極性の電荷に対しては略絶縁体として作用し、かつ、該電荷と逆極性の電荷に対しては略導電体として作用する電荷輸送層、読取光の照射を受けることにより光導電性を呈する読取用光導電層、読取光に対して透過性を有する第２の導電体層を、この順に積層して成る静電記録体および放射線画像情報が記録されたこの静電記録体から放射線画像情報を読み取る読取装置を提案している（例えば特許文献４参照）。
【０００４】
この特許文献４に記載された読取装置は、光源から発せられた読取光で静電記録体を走査して、静電記録体に記録された静電潜像を読み取るものである。読取光による露光走査方法としては、レーザビーム等のスポット光を主副走査露光させる方法や、ライン状の読取光を発するライン光源を移動させることにより副走査露光させる方法等が挙げられている。
【０００５】
上記従来の読取装置は、医療用に使用されることが多く、このような場合には、通常記録光として使用されるＸ線の照射量を抑制する必要があるため、低ノイズシステムであることが要求される。また、Ｘ線の散乱による影響を抑えるためにグリッドが使用されることが多い。なお、グリッドによりモアレ縞が生じることを防止するために、撮影時に振動するムービンググリッドが使用される事も多い（例えば特許文献６参照）。
【０００６】
【特許文献１】
米国特許第  ４１７６２７５号明細書
【０００７】
【特許文献２】
米国特許第  ５４４０１４６号明細書
【０００８】
【特許文献３】
米国特許第  ５５１０６２６号明細書
【０００９】
【特許文献４】
特開２０００−１０５２９７号公報
【００１０】
【特許文献５】
特開２００１−２９０２２８号公報
【００１１】
【特許文献６】
特開２００１−３４０３２３号公報
【００１２】
【非特許文献１】
“Ａ  Ｍｅｔｈｏｄ  ｏｆ  Ｅｌｅｃｔｒｏｎｉｃ  Ｒｅａｄｏｕｔ  ｏｆ  Ｅｌｅｃｔｒｏｐｈｏｔｏｇｒａｐｈｉｃ  ａｎｄ  Ｅｌｅｃｔｒｏｒａｄｉｏｇｒａｐｈｉｃ  Ｉｍａｇｅ”；Ｊｏｕｒｎａｌ  ｏｆ  Ａｐｐｌｉｅｄ  ｐｈｏｔｏｇｒａｐｈｉｃ  Ｅｎｇｉｎｅｅｒｉｎｇ  Ｖｏｌｕｍｅ  ４，Ｎｕｍｂｅｒ  ４，Ｆａｌｌ  １９７８  Ｐ１７８〜Ｐ１８２
【００１３】
【発明が解決しようとする課題】
しかしながら、読取光による露光走査を行って信号を読み出している最中に、動く、あるいは動く可能性のある可動部材を備えた静電潜像読取装置においては、これらの可動部材がノイズ源となり、読み出された信号のＳ／Ｎが悪化する場合がある。すなわち、これらの可動部材が静電記録体と容量結合するものであった場合には、露光走査時にこれらの可動部材が動いた時に、静電記録体の容量変動を招くことがあり、この結果出力される信号のＳ／Ｎが悪化してしまう。
【００１４】
なお、読取光源が移動することにより露光走査が行われる場合には、読取光源それ自体が可動部材として作用してしまう場合がある。また堅固に固定されていない部材である着脱可能部材等も、露光走査時に動いてしまう可能性があるため、上記可動部材の一種と考えることができる。特に露光走査を行う際に読取光源が移動する読取装置の場合には、この読取光源の移動動作の影響で、読取光源それ自体に加え、他の可動部材が動いてしまう可能性がある。
【００１５】
また、上記特許文献６に記載された公報においては、可動部材の１つとしてムービンググリッドが取り上げられている。すなわち、ムービンググリッドの振動が完全に停止しない状態で、信号の出力が行われた場合には、静電記録体の容量変動が生じて、信号のＳ／Ｎが悪化する場合がある。このため、ムービンググリッドも可動部材であると考えることができる。この公報においては、可動部材を等速動作させる、あるいは完全に動きが停止してから信号の出力を行う等の手法により信号の出力時に静電記録体の容量が変動することを防止している。しかしこのような手法を用いた場合には、信号の出力動作のスループットを低下させるという問題がある。
【００１６】
本発明は、上記の問題に鑑みてなされたものであり、静電潜像に応じた信号のＳ／Ｎを向上させ、かつ出力動作のスループットを低下させることのない静電潜像読出装置を提供することを目的とする。
【００１７】
【課題を解決するための手段】
本発明の静電潜像読取装置は、読取光を発する読取光源と、
画像情報を静電潜像として記録し、前記読取光で走査露光されることにより、前記静電潜像に応じた信号を出力する静電記録体と、
前記読取光による走査露光の際に移動可能であって、かつ前記静電記録体と容量結合する可動部材とを備えた静電潜像読取装置において、
前記可動部材と前記静電記録体との間を静電シールドする静電シールド手段を備えていることを特徴とするものである。
【００１８】
ここで、「可動部材」とは、読取光による露光走査時に、動きうるものを意味する。可動部材としては、例えば、読取光による露光走査時に実際に動く部材や、露光走査の直前まで動いているため、露光走査時に動く可能性があるもの、あるいは着脱可能部材であって、振動などにより読取光による露光走査時に動きうるもの等を挙げることができる。なお、着脱可能部材とは、着脱可能であるが故に装着時においても比較的緩やかに固定されており、露光走査時に動きを生じ得るものであって、例えばドライバー等の道具を用いずに容易に着脱できる部材、所定位置にストッパー等で固定される部材、手で締め外しできるネジで固定される部材、弾性部材で押圧することにより固定される部材、あるいは取付台等に設けられた溝に差し込まれて固定される部材等がこれに該当する。
【００１９】
具体的には、読取光による露光走査時に実際に動く部材としては、読取光源や消去光源、あるいは次の画像情報の記録のために、静電記録体を所定位置まで昇降させる昇降手段や、移動させる移動手段等がある。また露光走査の直前まで動いているため、露光走査時に動く可能性があるものとしては、ムービンググリッドや、静電記録体を読取位置へ移動させるための移動手段等がある。さらに、着脱可能部材としては、グリッドや静電記録体を保持するカセッテ等がある。
【００２０】
上記静電シールド手段は、前記可動部材と前記静電記録体とを同電位とする同電位手段や、前記可動部材および前記静電記録体を接地する接地手段であってもよい。あるいは、静電シールド手段は、可動部材または静電記録体のどちらか一方を内部に収納し、導電性部材で形成され、その一部が定電位源に接続された静電シールドボックスであってもよい。
【００２１】
なお、上記において「読取光」とあるのは、赤外光、可視光あるいは紫外光等のいわゆる光に限定されるものではなく、記録された静電潜像を読み出す際に利用可能な電磁波であれば如何なる波長のものであってもよい。
【００２２】
【発明の効果】
本発明の静電潜像読取装置においては、可動部材と静電記録体との間を静電シールドする静電シールド手段を備えたことにより、可動部材が静電記録体との間で容量結合することがなく、したがって、これらの可動部材が動いたとしても、静電記録体の容量変動を招くことがないので、信号のＳ／Ｎを向上させることができる。また、可動部材を等速動作させる、あるいは停止状態にさせて信号を読み出す必要がないため、信号の出力動作のスループットを低下させることがない。
【００２３】
なお、上記可動部材が前記読取光源である場合には、読取光源の移動速度を任意に設定することが可能になり、信号の出力動作のスループットを向上させることができる。
【００２４】
静電シールド手段が、可動部材と静電記録体とを同電位とする同電位手段である場合には、容易に静電シールド手段を設けることができる。また、静電シールド手段が、可動部材および静電記録体を接地する接地手段である場合には、確実に静電シールドを行うことができる。さらに、静電シールド手段が、可動部材または前記静電記録体のどちらか一方を内部に収納し、導電性部材で形成され、その一部が定電位源に接続された静電シールドボックスである場合には、静電シールドボックスの収納された部材が、信号読出ライン等の他の部材と容量結合することがないため、一層読み出された信号のＳ／Ｎが向上する。
【００２５】
【発明の実施の形態】
以下、図面を参照して本発明の実施の形態について説明する。図１に本発明の第１の実施形態である静電潜像読取装置の概略構成図を示す。図１（Ａ）は斜視図であり、図１（Ｂ）はＸ−Ｚ断面図である。図１に示すように、このシステムは、静電記録体１０と、画像情報の読取時に該静電記録体１０に対して読取光Ｌ１を照射する読取光源１と、静電記録体１０の読取光源１側の全面に形成されたＩＴＯ（Ｉｎｄｉｕｍ  Ｔｉｎ  Ｏｘｉｄｅ）膜９と、読取光Ｌ１の走査により静電記録体１０から流れ出る電流を検出する電流検出手段５０と、ＩＴＯ膜９と読取光源１とを電気的に接続するワイヤー１８とを備えてなる。なお、ＩＴＯ膜９は、読取光Ｌ１に対して透明な導電性膜である。
【００２６】
静電記録体１０は、放射線画像情報を静電潜像として記録し、読取光で走査されることにより前記静電潜像に応じた電流を出力するものであり、具体的には、記録用の放射線（例えば、Ｘ線等。以下「記録光Ｌ２」と称す。）に対して透過性を有する第１の導電体層１１、記録光Ｌ２の照射を受けることにより導電性を呈する記録用光導電層１２、第１の導電体層１１に帯電される電荷（潜像極性電荷；例えば負電荷）に対しては略絶縁体として作用し、かつ、該電荷と逆極性の電荷（輸送極性電荷；上述の例においては正電荷）に対しては略導電体として作用する電荷輸送層１３、読取光の照射を受けることにより導電性を呈する読取用光導電層１４、読取光Ｌ１に対して透過性を有する第２の導電体層１５が積層してなるものであり、ガラス基板１６上に形成されている。第２の導電体層１５は、図中斜線で示すように多数のエレメント（線状電極）１５ａ  が画素ピッチでストライプ状に配されたストライプ電極とされている。
【００２７】
電流検出手段５０は第２の導電体層１５の各エレメント１５ａ  毎に接続された多数の電流検出アンプ５１を有しており、読取光Ｌ１の露光により各エレメント１５ａ  に流れる電流をエレメント１５ａ  毎に並列的に検出するものである。静電記録体の第１の導電体層１１は接続手段５２の一方の入力および電源５３の負極に接続されており、電源５３の正極は接続手段５２の他方の入力に接続されている。図示していないが、接続手段５２の出力は各電流検出アンプ５１に接続されている。電流検出アンプ５１の構成の詳細については、本発明の要旨に関係がないのでここでは説明を省略するが、周知の構成を種々適用することが可能である。なお、電流検出アンプ５１の構成によっては、接続手段５２および電源５３の接続態様が上記例とは異なるものとなるのは勿論である。
【００２８】
読取光源１は、多数の発光素子がライン状に列設されたライン光源であり、図中の走査方向に移動しながら露光走査を行う。また、この読取光源１は、本発明の可動部材として機能している。
【００２９】
以下上記構成の静電潜像読取装置の作用について説明する。静電記録体に静電潜像を記録する際には、先ず接続手段５２を電源５３に切り替え、第１の導電体層１１と第２の導電体層１５の各エレメント１５ａ  との間に直流電圧を印加し両導電体層を帯電させる。これにより静電記録体内の第１の導電体層１１とエレメント１５ａ  との間に、エレメント１５ａ  をＵ字の凹部とするＵ字状の電界が形成される。
【００３０】
次に記録光Ｌ２を不図示の被写体に爆射し、被写体を透過した記録光Ｌ２、すなわち被写体の放射線画像情報を担持する放射線を静電記録体に照射する。すると、静電記録体の記録用光導電層１２内で正負の電荷対が発生し、その内の負電荷が上述の電界分布に沿ってエレメント１５ａ  に集中せしめられ、記録用光導電層１２と電荷輸送層１３との界面に負電荷が蓄積される。この蓄積される負電荷（潜像電荷）の量は照射放射線量に略比例するので、この潜像電荷が静電潜像を担持することとなる。このようにして静電潜像が静電記録体に記録される。一方、記録用光導電層１２内で出力する正電荷は第１の導電体層１１に引き寄せられて、電源５３から注入された負電荷と電荷再結合し消滅する。
【００３１】
静電記録体から静電潜像を読み取る際には、先ず接続手段５２を静電記録体の第１の導電体層１１側に接続する。
【００３２】
読取光源１から出力されるライン状の読取光Ｌ２がガラス基板１６および導電体層１５の各エレメント１５ａ  を透過する。すると、光導電層１４内に正負の電荷対が発生し、その内の正電荷が記録用光導電層１２と電荷輸送層１３との界面に蓄積された負電荷（潜像電荷）に引きつけられるように電荷輸送層１３内を急速に移動し、記録用光導電層１２と電荷輸送層１３との界面で潜像電荷と電荷再結合し消滅する。一方、読取用光導電層１４に生じた負電荷は電源５３から導電体層１５に注入される正電荷と電荷再結合し消滅する。このようにして、静電記録体に蓄積されていた負電荷が電荷再結合により消滅し、この電荷再結合の際の電荷の移動による電流が静電記録体内に生じる。各エレメント１５ａ  毎に接続された電流検出アンプ５１により、この電流を各エレメント１５ａ  毎に並列的に検出する。読取りの際に静電記録体内を流れる電流は、潜像電荷すなわち静電潜像に応じたものであるから、この電流を検出することにより静電潜像を読み取ることができる。なお、読取光源１は図中矢印方向に走査露光するものであり、これにより静電記録体１０の全面露光がなされる。
【００３３】
本実施の形態においては、読取光源１は、上述のように、静電記録体１０の全面に形成された導電性膜であるＩＴＯ膜９とワイヤー１８により電気的に接続されているため、読取光源１と静電記録体１０とは同電位となっている。このため、読取光源１は静電記録体１０と容量結合することがなく、したがって、読取光源１が動いた時に、静電記録体１０の容量変動を招くことがないので、信号のＳ／Ｎを向上させることができる。
【００３４】
なお、読取光源１が静電記録体１０と容量結合していないため、読取光源１の移動速度を任意に設定することが可能になり、信号の出力動作のスループットを向上させることができる。また、静電シールド手段として、ワイヤー１８による同電位手段を用いたため、簡単な構造でかつ容易に静電シールドを行うことができる。
【００３５】
次に、図２を参照して本発明の第２の実施形態について説明する。なおこの図２において、図１中の要素と同等の要素には同番号を付してあり、それらについての説明は特に必要の無い限り省略する。
【００３６】
この第２の実施形態の静電潜像読取装置は、図１に示した読取光源１および静電記録体１０を筐体２０内に配置し、該筐体２０を接地し、またＩＴＯ膜９および読取光源１をワイヤー２２および２３を介して筐体２０へ電気的に接続することにより、ＩＴＯ膜９が形成されている静電記録体１０および読取光源１を接地するものである。なお、静電記録体１０は、ＦＰＣ（Ｆｌｅｘｉｂｌｅ  Ｐｒｉｎｔ  Ｃｉｒｃｕｉｔ）２４により、不図示の電流検出部へ接続されている。
【００３７】
筐体２０は、導電体材料から形成される静電シールドボックス構造になり、アース２５により接地されている。筐体２０の記録光Ｌ２入射側の壁面２１は記録光Ｌ２に対して透過性を有する導電体材料により形成される。記録光Ｌ２としてＸ線を使用する場合であれば、壁面２１の材料としては、カーボン板あるいはＡＬ蒸着フィルム等を使用することができる。壁面２１以外の、筐体２０を構成する壁面２６は、通常の導電性材料から形成されている。
【００３８】
静電記録体１０に記録された静電潜像を読み出す際には、読取光源１は図中矢印方向に走査露光し、これにより静電記録体１０の全面露光がなされ、ＦＰＣ２４を介して画像情報が電流検出部へ伝送される。なお、ワイヤー２２、ワイヤー２３、筐体２０およびアース２５は、本発明の接地手段として機能するものである。
【００３９】
本実施の形態においては、読取光源１および静電記録体１０は、ワイヤー２２、ワイヤー２３、筐体２０およびアース２５により接地されているため、読取光源１と静電記録体１０とは同電位となり、読取光源１が静電記録体１０に容量結合することはない。このため、第１の実施の形態と同様に、スループットを低下することなく、出力される信号のＳ／Ｎを向上させることができる。
【００４０】
また、静電シールド手段として、ワイヤー２２、ワイヤー２３、筐体２０およびアース２５からなる接地手段を用いたため、確実に静電シールドを行うことができる。また、筐体２０が静電シールドボックス構造となっているため、読出光源１が筐体２０の外に配置されたＦＰＣ２４や、電流検出部と容量結合することも防止され、一層出力される信号のＳ／Ｎが向上する。
【００４１】
次に、図３を参照して本発明の第３の実施形態について説明する。なおこの図３において、図２中の要素と同等の要素には同番号を付してあり、それらについての説明は特に必要の無い限り省略する。
【００４２】
この第３の実施形態の静電潜像読取装置は、読取光源１および静電記録体１０に加え可動部材としてのムービンググリット３０を筐体３１内に配置したものであり、読取光源１および静電記録体１０は接地され、またムービンググリッド３０は、静電シールドボックス内に収容されている。
【００４３】
ムービンググリッド３０は、図３に対して垂直な方向に記録光低吸収部材と記録光高吸収部材とがストライプ状に設けられ、かつ記録光Ｌ２の照射時には矢印方向に振動するものである。
【００４４】
筐体３１は、導電体材料から形成される静電シールドボックス構造になり、アース３２により接地されている。筐体３１の記録光Ｌ２入射側の壁面３３は記録光Ｌ２に対して透過性を有する導電体材料により形成される。記録光Ｌ２としてＸ線を使用する場合であれば、壁面３３の材料としては、カーボン板あるいはＡＬ蒸着フィルム等を使用することができる。壁面３３以外の、筐体３１を構成する壁面３４は、通常の導電性材料から形成されている。また、読取光源１および静電記録体１０が収納されている空間と、ムービンググリッド３０が収納されている空間とは、記録光Ｌ２を透過する導線性薄膜３５により電気的に隔離されている。このため、壁面３３、壁面３４の一部および導線性薄膜３５とにより形成され、ムービンググリッド３０を収納する筐体と、壁面３４の残りの一部および導線性薄膜３５とにより形成され、読取光源１および静電記録体１０を収容する筐体は、それぞれ独立した静電シールドボックス構造となっている。
【００４５】
静電記録体１０に記録された静電潜像を読み出す際には、読取光源１は図３に対して垂直な方向に走査露光し、これにより静電記録体１０の全面露光がなされ、ＦＰＣ２４を介して画像情報が電流検出部へ伝送される。なお、ワイヤー２２、ワイヤー２３、筐体３１およびアース３２は、本発明の接地手段として機能するものである。
【００４６】
本実施の形態においては、読取光源１および静電記録体１０は、ワイヤー２２、ワイヤー２３、筐体３１およびアース３２により接地されているため、読取光源１と静電記録体１０とは同電位となり、読取光源１が静電記録体１０に容量結合することはなく、第２の実施の形態と同様に、静電潜像に応じた信号の出力のスループットを低下させることなく、確実にこの信号のＳ／Ｎを向上させることができる。
【００４７】
また、ムービンググリッド３０が、壁面３３、壁面３４の一部および導線性薄膜３５とにより構成される静電シールドボックス構造内に収容されているため、ムービンググリッド３０が静電記録体１０に容量結合することはない。このため、ムービンググリッド３０の振動が完全に停止しない状態で、静電記録体１０の露光走査が行われ、信号が出力された場合であっても、静電記録体１０の容量が変動することはなく、出力された信号のＳ／Ｎを向上させることができる。
【００４８】
なお、本実施の変型例として、例えば図４に示すように、ムービンググリッド３０の代わりに、着脱式のグリッドを用いる物も考えられる。この装置では、図４の（Ａ）に示すクリップ３６が取り付けられたグリッド３７を、図４の（Ｂ）に示すように開口３８が設けられた筐体３１へ挿入し、クリップ３６を用いて固定している。またクリップ３６を導電性部材により構成することにより、グリッド３７を収納する筐体を静電シールドボックス構造としている。このような着脱式のグリッド３７は、堅固に固定されていないため、露光走査時に動いてしまう可能性がある。特に、読取光源１の移動動作や、ビルトイン型装置の場合に撮影部の位置や高さ等を被撮影者に会わせる際の移動操作などにより振動が生じた場合には、動き易い。しかし、グリッド３７は、静電シールドボックス構造内に収容されているため、グリッド３７が静電記録体１０に容量結合することはないので、例え露光走査時にグリッド３７が動いてしまっても、静電記録体１０の容量が変動することはない。
【００４９】
次に、図５を参照して本発明の第４の実施形態について説明する。なおこの図５において、図２中の要素と同等の要素には同番号を付してあり、それらについての説明は特に必要の無い限り省略する。
【００５０】
この第４の実施形態の静電潜像読取装置は、静電記録体１０を静電シールドボックスである筐体４０内に収容するものである。
【００５１】
筐体４０は、透明導電膜４１が図中の下面に形成されている透明基台４２と、カーボン板４３と、透明基台４２の端部とカーボン板４３の端部との間に配置されるスペーサ４４および４５と、カーボン板４３と透明導電膜４１とを電気的に接続する導電シート４６および４７とから構成されている。透明基台４２上には、静電記録体１０が配置され、静電記録体１０の上には、絶縁層４８が配置されている。絶縁層４８は、読み取りの際に高電圧が印加される、静電記録体１０の図中最上部に設けられている第１の導電体層と、カーボン板４３とを絶縁するために設けられている。なお、静電記録体１０は、ＦＰＣ２４により、不図示の電流検出部へ接続されている。
【００５２】
静電記録体１０に記録された静電潜像を読み出す際には、読取光源１は図中矢印方向に露光走査し、これにより静電記録体１０の全面露光がなされ、ＦＰＣ２４を介して画像情報が電流検出部へ伝送される。
【００５３】
本実施の形態においては、静電記録体１０は、静電シールドボックス構造になっている筐体４０内に収納されているため、読取光源１が静電記録体１０に容量結合することはない。このため、画像情報の読取りの際に読取光源１が移動しても、読取光源１に起因する浮遊容量が静電記録体１０の容量へ容量結合して静電記録体１０の容量が変動することはないので、出力される信号のＳ／Ｎが向上する。
【００５４】
さらに、静電記録対１０が、静電シールドボックス内に収納されているため、静電シールドボックスの外の部材と、容量結合することがないため、一層出力される信号のＳ／Ｎが向上する。
【００５５】
なお、上記各実施の形態においては、可動部材として読取光源やグリッドを備えた装置に付いて説明を行ったが、これに限定されるものではない。他の可動部材としては、例えば、消去を行うための消去光源、プレ露光を行うための光源、次の画像情報の記録のために静電記録体を所定位置まで移動させる移動手段、静電記録体を読取位置へ移動させるための移動手段、あるいは静電記録体を保持するカセッテ等が挙げられる。
【図面の簡単な説明】
【図１】本発明の第１の実施形態である静電潜像読取装置の概略構成図
【図２】本発明の第２の実施形態である静電潜像読取装置の概略構成図
【図３】本発明の第３の実施形態である静電潜像読取装置の概略構成図
【図４】他のグリッドを示す図
【図５】本発明の第４の実施形態である静電潜像読取装置の概略構成図
【符号の説明】
１    読取光源
９    ＩＴＯ膜
１０    静電記録体
１１    第１の導電体層
１２    記録用光導電層
１３    電荷輸送層
１４    読取用光導電層
１５    第２の導電体層
１５ａ    エレメント
１６    ガラス基板
１８，２２，２３    ワイヤー
２０，３１        筐体
２５，３２        アース
３０          ムービンググリッド
３７          グリッド
５０    電流検出手段
５１    電流検出アンプ
５２    接続手段
５３    電源
【図１】
2005003511.tif 000003
【図２】
2005003511.tif 000004
【図３】
2005003511.tif 000005
【図４】
2005003511.tif 000006
【図５】
2005003511.tif 000007